【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
関連する複数の書類であって、前記書類における項目の情報が記載されている各前記書類の第１画像を取得する第１画像取得手段と、
前記書類における項目の情報が記載されて無い無記入の前記各書類の第２画像を取得する第２画像取得手段と、
前記項目の情報が記載された記載領域を、前記第１画像と前記第２画像との差分画像から抽出する記載領域抽出手段と、
前記関連する複数の書類を特定するための第３画像であって、前記各書類の前記記載領域を合成させた前記第３画像を生成する第３画像生成手段と、
を備えたことを特徴とする管理装置。
【請求項２】
請求項１に記載の管理装置において、
前記記載領域抽出手段が、前記各書類に応じた所定の形式に従った記載領域を有する書類の種別に基づき、前記各書類における記載領域の位置を特定し、前記特定された記載領域の位置に従い前記差分画像から前記記載領域を抽出することを特徴とする管理装置。
【請求項３】
請求項１または請求項２に記載の管理装置において、
前記各書類の第１画像を記憶した第１画像記憶手段と、前記各書類の第２画像を記憶した第２画像記憶手段とが、異なるセキュリティレベルで管理されていることを特徴とする
管理装置。
【請求項４】
請求項１から３のいずれか１項に記載の管理装置において、
前記第３画像生成手段が、前記第３画像に、所定の空隙率を有する重畳用画像を重ねた第４画像を生成することを特徴とする管理装置。
【請求項５】
請求項４に記載の管理装置において、
前記第３画像生成手段が、前記第３画像に、複数の異なる前記重畳用画像を重ねた前記第４画像を生成することを特徴とする管理装置。
【請求項６】
請求項４または請求項５に記載の管理装置において、
前記第４画像が、記号が並べられた画像であることを特徴とする管理装置。
【請求項７】
請求項１から６のいずれか１項に記載の管理装置において、
前記第３画像生成手段が、前記各書類の前記記載領域を重ねた前記第３画像を生成することを特徴とする管理装置。
【請求項８】
第１画像取得手段が、関連する複数の書類であって、前記書類における項目の情報が記載されている各前記書類の第１画像を取得する第１画像取得ステップと、
第２画像取得手段が、前記書類における項目の情報が記載されて無い無記入の前記各書類の第２画像を取得する第２画像取得ステップと、
記載領域抽出手段が、前記項目の情報が記載された記載領域を、前記第１画像と前記第２画像との差分画像から抽出する記載領域抽出ステップと、
第３画像生成手段が、前記関連する複数の書類を特定するための第３画像であって、前記各書類の前記記載領域を合成させた前記第３画像を生成する第３画像生成ステップと、
を含むことを特徴とする管理方法。
【請求項９】
コンピュータを、
関連する複数の書類であって、前記書類における項目の情報が記載されている各前記書類の第１画像を取得する第１画像取得手段、
前記書類における項目の情報が記載されて無い無記入の前記各書類の第２画像を取得する第２画像取得手段、
前記項目の情報が記載された記載領域を、前記第１画像と前記第２画像との差分画像から抽出する記載領域抽出手段、および、
前記関連する複数の書類を特定するための第３画像であって、前記各書類の前記記載領域を合成させた前記第３画像を生成する第３画像生成手段として機能させることを特徴とする管理装置用のプログラム。
【請求項１０】
書類に関する書類情報を管理する管理装置と、書類の画像を撮像して画像データを取り込む画像入力装置と、を備えた管理システムにおいて、
前記管理装置が、
関連する複数の書類であって、前記書類における項目の情報が記載されている各前記書類の第１画像を、前記画像入力装置から取得する第１画像取得手段と、
前記書類における項目の情報が記載されて無い無記入の前記各書類の第２画像を、前記画像入力装置から取得する第２画像取得手段と、
前記項目の情報が記載された記載領域を、前記第１画像と前記第２画像との差分画像から抽出する記載領域抽出手段と、
前記関連する複数の書類を特定するための第３画像であって、前記各書類の前記記載領域を合成させた前記第３画像を生成する第３画像生成手段と、
を備えたことを特徴とする管理システム。
【手続補正２】
【補正対象書類名】明細書
【補正対象項目名】０００６
【補正方法】変更
【補正の内容】
【０００６】
上記の課題を解決するために、請求項１に記載の発明は、関連する複数の書類であって、前記書類における項目の情報が記載されている各前記書類の第１画像を取得する第１画像取得手段と、前記書類における項目の情報が記載されて無い無記入の前記各書類の第２画像を取得する第２画像取得手段と、前記項目の情報が記載された記載領域を、前記第１画像と前記第２画像との差分画像から抽出する記載領域抽出手段と、前記関連する複数の書類を特定するための第３画像であって、前記各書類の前記記載領域を合成させた前記第３画像を生成する第３画像生成手段と、を備えたことを特徴とする。
【手続補正３】
【補正対象書類名】明細書
【補正対象項目名】０００９
【補正方法】変更
【補正の内容】
【０００９】
また、請求項４に記載の発明は、請求項１から３のいずれか１項に記載の管理装置において、前記第３画像生成手段が、前記第３画像に、所定の空隙率を有する重畳用画像を重ねた第４画像を生成することを特徴とする。
【手続補正４】
【補正対象書類名】明細書
【補正対象項目名】００１０
【補正方法】変更
【補正の内容】
【００１０】
また、請求項５に記載の発明は、請求項４に記載の管理装置において、前記第３画像生成手段が、前記第３画像に、複数の異なる前記重畳用画像を重ねた前記第４画像を生成することを特徴とする。
【手続補正５】
【補正対象書類名】明細書
【補正対象項目名】００１１
【補正方法】変更
【補正の内容】
【００１１】
また、請求項６に記載の発明は、請求項４または請求項５に記載の管理装置において、前記第４画像が、記号が並べられた画像であることを特徴とする。
【手続補正６】
【補正対象書類名】明細書
【補正対象項目名】００１２
【補正方法】変更
【補正の内容】
【００１２】
また、請求項７に記載の発明は、請求項１から６のいずれか１項に記載の管理装置において、前記第３画像生成手段が、前記各書類の前記記載領域を重ねた前記第３画像を生成することを特徴とする。
【手続補正７】
【補正対象書類名】明細書
【補正対象項目名】００１３
【補正方法】変更
【補正の内容】
【００１３】
また、請求項８に記載の発明は、第１画像取得手段が、関連する複数の書類であって、前記書類における項目の情報が記載されている各前記書類の第１画像を取得する第１画像取得ステップと、第２画像取得手段が、前記書類における項目の情報が記載されて無い無記入の前記各書類の第２画像を取得する第２画像取得ステップと、記載領域抽出手段が、前記項目の情報が記載された記載領域を、前記第１画像と前記第２画像との差分画像から抽出する記載領域抽出ステップと、第３画像生成手段が、前記関連する複数の書類を特定するための第３画像であって、前記各書類の前記記載領域を合成させた前記第３画像を生成する第３画像生成ステップと、を含むことを特徴とする。
【手続補正８】
【補正対象書類名】明細書
【補正対象項目名】００１４
【補正方法】変更
【補正の内容】
【００１４】
また、請求項９に記載の発明は、コンピュータを、関連する複数の書類であって、前記書類における項目の情報が記載されている各前記書類の第１画像を取得する第１画像取得手段、前記書類における項目の情報が記載されて無い無記入の前記各書類の第２画像を取得する第２画像取得手段、前記項目の情報が記載された記載領域を、前記第１画像と前記第２画像との差分画像から抽出する記載領域抽出手段、および、前記関連する複数の書類を特定するための第３画像であって、前記各書類の前記記載領域を合成させた前記第３画像を生成する第３画像生成手段として機能させることを特徴とする。
また、請求項１０に記載の発明は、書類に関する書類情報を管理する管理装置と、書類の画像を撮像して画像データを取り込む画像入力装置と、を備えた管理システムにおいて、前記管理装置が、関連する複数の書類であって、前記書類における項目の情報が記載されている各前記書類の第１画像を、前記画像入力装置から取得する第１画像取得手段と、前記書類における項目の情報が記載されて無い無記入の前記各書類の第２画像を、前記画像入力装置から取得する第２画像取得手段と、前記項目の情報が記載された記載領域を、前記第１画像と前記第２画像との差分画像から抽出する記載領域抽出手段と、前記関連する複数の書類を特定するための第３画像であって、前記各書類の前記記載領域を合成させた前記第３画像を生成する第３画像生成手段と、を備えたことを特徴とする。
【手続補正９】
【補正対象書類名】明細書
【補正対象項目名】発明の名称
【補正方法】変更
【補正の内容】
【発明の名称】管理装置、管理方法、管理装置用のプログラム、および、管理システム